(57)【要約】  【課題】少ない部品点数で、各種形態の隅瓦に対応可能とする瓦保持具を提供する。  【解決手段】本発明の瓦保持具は、略四角形の板材４１、４１を、頭部４２を支点にして脚部４３を開き、隅瓦１を上方から載置させて面接触で支持するようにした支承板４と、その支承板４を載置する平らな基板面３１を有する平面状の基板３とを主部品として構成される。その基板面３１には、隣接した多数の直線刻み目状の凹溝（３１ａ）凸条（３１ｂ）を形成しており、この凹溝（３１ａ）凸条（３１ｂ）には、頭部４２を係合させ支点として山形に開脚した支承板４の各脚部４３先端を自重によって係止させているが、支持対象の隅瓦１の屈曲開き角度１１に開脚角度４４を一致させるよう、各脚部４３先端を開いて所定の間隔に開脚させて載置することができるように構成してある。  【選択図】  図１
2008298336.tif 000002
【特許請求の範囲】
【請求項１】
板材を山形に開脚させて隅瓦を支持するようにした支承板と、その支承板を載置する基板面を有する基板とからなる瓦保持具であって、その基板面の両側近傍に、頭部を係合させて山形に開脚した支承板の各脚部を係止させる係止部を形成し、その支承板を所定の間隔に開脚させて載置可能としたことを特徴とする瓦保持具。
【請求項２】
前記係止部が、前記基板面の中央に向かって、凹溝凸条を繰り返し形成したものである請求項1に記載の瓦保持具。
【請求項３】
前記基板の両端部分に対称形の側面板を形成して、前記基板を上下に間隔を設けて段積可能とした請求項１または２に記載の瓦保持具。
【請求項４】
前記基板の基板面の表裏に前記係止部が形成されている請求項１、２または３に記載の瓦保持具。
【請求項５】
前記支承板を構成する一対の板材の頭部に、組合せ可能な切り欠き部が形成され、その頭部を組み合せて山形に開脚可能であり、かつその板面には貫通開口が設けられている請求項１から４のいずれかに記載の瓦保持具。
【発明の詳細な説明】
【技術分野】
【０００１】
本発明は、所定の角度をもって折り曲げられた面を持つ隅瓦を保持するための瓦保持具の改良に関する。
【背景技術】
【０００２】
従来、隅瓦のような、断面傘型の折り曲げ面を持つ瓦は、主として平板面で形成される平桟瓦とは異なり、焼成する際に立てかけた姿勢が不安定で転倒しやすいという問題の他、折り曲げられた中央部分が熱変形し易く、焼成後の歪みが大きくなるという不具合があった。この問題解決のため、本発明出願人は、先に隅瓦焼成用保持台を提案している。（特許文献１を参照のこと）
【０００３】
【特許文献１】特開２０００−２３４８７０号公報「隅瓦焼成用保持台」：特許請求の範囲、段落０００５〜０００８の記載、図１
【０００４】
この特許文献1の隅瓦焼成用保持台は、セラミック角形基板の対角線上にセラミックパイプからなる複数の受け部材を所定の高さになるよう着脱自在に取り付け、この受け部材で隅瓦の折り曲げ裏部分を支持するようにし、さらに、隅瓦の前縁および後縁の下面を支持する受け部材も同様に着脱自在に取り付けたものである。
【０００５】
このような隅瓦焼成用保持台の場合は、屈曲角度の異なる形状の隅瓦に適合するよう、長さ寸法の異なるセラミックパイプ受け部材を多数準備する必要があったうえ、焼成対象物が異なる都度、多数のセラミックパイプ受け部材を交換しなければならないという問題もあった。
【発明の開示】
【発明が解決しようとする課題】
【０００６】
本発明は、上記の問題点を解決するためになされたものであり、少ない部品点数で、各種形態の隅瓦に対応可能とする瓦保持具を提供する。
【課題を解決するための手段】
【０００７】
上記の問題は、板材を山形に開脚させて隅瓦を支持するようにした支承板と、その支承板を載置する基板面を有する基板とからなる瓦保持具であって、その基板面の両側近傍に頭部を係合させて山形に開脚した支承板の各脚部を係止させる係止部を形成し、その支承板を所定の間隔に開脚させて載置可能としたことを特徴とする本発明の瓦保持具によって、解決することができる。
【０００８】
また、本発明は次の形態に好ましく具体化できる。
ａ）前記係止部が、前記基板面の中央に向かって、凹溝凸条を繰り返し形成したものである形態。
ｂ）前記凹溝凸条を繰り返し形成した基板の両端部分に対称形の側面板を形成して、前記基板を上下に間隔を設けて段積可能とした形態。
ｃ)前記基板の表裏の基板面に前記係止部が設けられている形態。
ｄ)前記支承板を構成する一対の板材の頭部に、組合せ可能な切り欠き部が形成され、その頭部を組み合せて山形に開脚可能であり、かつその板面には貫通開口が設けられている形態。
【発明の効果】
【０００９】
本発明の瓦保持具は、断面傘型の折り曲げ面を持つ隅瓦を、山形に開脚した支承板の板材が支承するので、所定の屈曲角度を維持しつつ、乾燥時、あるいは焼成時における歪みの発生を抑制することができる。また、支承板の各脚部を適宜に選択した凹溝凸条など係止部に自重によって係止させることによって、支承板の開脚角度を拡縮自在に調整できるから、支持対象の隅瓦の屈曲角度に対応させて支持させることができる。従って、基板と支承板の品点で各種形状の隅瓦に応用可能となる。さらに、基板の両端部分に対称形の側面板を設けたものでは、乾燥および焼成工程において段積み作業を可能にできる。かくして、本発明の瓦保持具は、乾燥工程および焼成工程における保持具として共用できるという優れた効果がある。よって本発明は、従来の問題点を解消した瓦保持具として、技術的価値はきわめて大なるものがある。
【発明を実施するための最良の形態】
【００１０】
次に、本発明の瓦保持具に係る第1実施形態について図１〜３を、第2実施形態について図４〜６を参照しながら説明する。
（第1実施形態）
第1実施形態では、図１において、本発明の瓦保持具２と支持される隅瓦１との関係を示しているが、隅瓦１はごく単純な形状を事例として示した。
本発明の瓦保持具は、略四角形の板材４１、４１を、頭部４２を支点にして脚部４３を開き、すなわち、山形に開脚させて、隅瓦１を上方から載置させて面接触で支持するようにした支承板４と、その支承板４を載置する平らな基板面３１を有する平面状の基板３とを主部材として構成される。
【００１１】
そして、本発明の特徴は、その基板面３１には、隣接した多数の直線刻み目状の凹溝（３１ａ）凸条（３１ｂ）を形成しており、この凹溝（３１ａ）凸条（３１ｂ）には、頭部４２を係合させ支点として山形に開脚した支承板４の各脚部４３先端を自重によって係止させているが、支持対象の隅瓦１の屈曲開き角度１１に開脚角度４４を一致させるよう、各脚部４３先端を開いて所定の間隔に開脚させて載置することができるように構成してある点にあり、かくして、支持用の支承板４とそれを載置する基板３との２品点で、屈曲開き角度１１の異なる形状の隅瓦１にも対応可能となり、隅瓦１を面支持するので乾燥工程や焼成工程で歪みが生じ難くなるという利点も得られるのである。
【００１２】
この凹溝（３１ａ）凸条（３１ｂ）は、基板面３１に、中央に向かって設けられた凹凸繰り返し直線状の溝と条であって、支承板４の脚部４３先端部分が引っかかって係止され容易に動かず位置決めできる程度の深さと幅が必要であるが、そのピッチは５〜２０ｍｍが適当である。なお、基板面３１の平面サイズは、特に限定されないが、載置する隅瓦１の平面サイズに余裕をプラスした程度でよく、一般的には、最小３００×５００ｍｍ、最大５００×８００ｍｍ程度が実用的である。
【００１３】
この前記凹溝（３１ａ）凸条（３１ｂ）を設けた基板３の両端部分に、上下辺が基板面に並行な左右対称形の側面板５、５を直角に形成し、例えば、断面Ｈ字形状に形成しておけば、図２に示すように、前記基板３を上下に間隔を設けて段積することができるので好ましい。このように段積みすることによって、成形後の対象隅瓦を乾燥炉で乾燥する工程および焼成炉内で焼成する工程、あるいは運搬工程などにおいて、多数の対象隅瓦を同時に加工、処理できるなどの利点が得られる。
【００１４】
この場合、前記基板面３１の反対側の基板面３２にも前記に同様な凹溝（３２ａ）凸条（３２ｂ）（図２を参照）など係止部を設けておけば、基板３を側面板５、５を含めて上下反転させて使用することが可能となる。特に、焼成工程においては、このような保持具は焼成温度の影響で徐々に変形することがあるが、このように上下反転させることにより、変形を矯正、修正できるので、長期間使用できるようになるという利点が得られる。
【００１５】
またさらに、左右対称形の側面板５、５を上下にも対称形（断面Ｈ字形状）に形成しておけば、任意の保持具だけを上下反転させ入れ替えても、段積み形態が変わらないので、焼成変形の大きな基板だけを上下反転させて矯正、修正できるという利点も得られるのである。
【００１６】
本発明の瓦保持具の構成部材である支承板４の板材４１および隅瓦１を支持する基板３には、いずれもシャモット質、アルミナ質、炭化珪素質などの耐火セラミック製で、厚さが５〜３０ｍｍ程度の焼結板材を用いれば、乾燥工程、焼成工程ともに共用できるので好ましい。
【００１７】
図示した支承板４を構成する一対の板材４１の頭部４２は、軸心を有する蝶番状のかみ合わされた構造の場合が例示してあるが、本発明では、この構成に限定されることはない。なお、図示の軸心は必須の構造ではなく、要は、一対の板材４１の頭部４２に、相互に組合せ可能な切り欠き凹凸部４２ａを形成しておき、それぞれの凹凸部４２ａを組み合せて、頭部４２を支点としてお互いにもたれかけさせて、脚部４３、４３を開いて山形に開脚可能な構成とすればよい。かくして、本発明では単純形状の板材からなり、部品点数を少なくすみ部品管理も容易となる利点が得られる。
【００１８】
なお、この場合、凹部と凸部の横幅寸法を一致させた１種類の切り欠き凹凸部４２ａからなる２枚の板材4１を準備し、その一枚を裏返して組み合せれば、図１、３に示すような、それぞれの凹凸部４２ａをかみ合わせ、頭部４２を支点としてお互いにもられかけさせる構造を得ることができる。かくして、１種類の形状の切り欠き凹凸部４２ａを持った板材４１を準備すればよいので、部品品点を少なくできるから特に好ましいものとなる。
【００１９】
また、図１の事例に示すように、前記板材４１の板面には表裏に貫通した貫通開口４５が設けておけば、載置する袖瓦１の裏面にも加熱雰囲気が回るので加熱温度むらを低減するのに大いに寄与することとなる。このような貫通開口４５は、本発明では必ずしも必須ではないが、実用化に当っては、予めテストによってその形（四角、円、楕円、スリット形状など）、大きさ、設定個数などを定めればよい。
【００２０】
（第２実施形態）
第２実施形態では、図４に示すように、対象隅瓦１は、前端の屈曲形状の曲り見付け部１２を備えている実際の製品によく見られるものである。
第1実施形態の瓦保持具は、略四角形の板材４１、４１を、頭部４２を支点にして脚部４３を開き、すなわち、山形に開脚させて、隅瓦１を上方から載置させて支持するようにした支承板４と、その支承板４を載置する平らな基板面３１を有する平面状の基板３とを主部材として構成される（図５、６参照）点で、第１実施形態と同様である。
なお、図６では、隅瓦１の輪郭は実線、破線の２重線で示した。
【００２１】
この実施形態の第１の特徴は、隅瓦１を上方から載置させる支承板４の板材４１、４１にはそれぞれ突出させた凸面４１ａを設けていて、載置した隅瓦１の裏面平面部に面接触して支持するように構成され、かつこの凸面４４、４４の上に隅瓦１を載置することにより、その曲り見付け部１２が板材４１、４１と干渉しないよう浮かせた状態で載置している点にある。
【００２２】
また、この実施形態では、支承板４の各脚部４３先端を係止する係止部として、基板面３１の両側近傍に突起３３、３３を、開脚方向に２個、脚部に沿って２個、形成しており、この突起３３、３３には、頭部４２を係合させ支点として山形に開脚した支承板４の各脚部４３先端を自重によって係止させている。
【００２３】
この場合、脚部４３に沿って設けられる突起３３の個数は特に限定されないが、開脚方向には、支持対象の隅瓦１の屈曲開き角度に開脚角度４４を一致させるため、各脚部４３先端を開いて所定の間隔に開脚させる位置に突起３３、３３を形成している。そして、隅瓦１の屈曲開き角度は、瓦の葺き勾配によって定まるが、慣用される葺き勾配基準、例えば３寸、４寸、５寸などの勾配基準に対応する位置に、所要個数の突起３３、３３を開脚方向に配列することで本発明の目的を達することができる。
【００２４】
かくして、支持用の支承板４とそれを載置する基板３との２品点で、葺き勾配の異なる形状の隅瓦１にも対応可能となり、隅瓦１を面支持するので乾燥工程や焼成工程で歪みが生じ難くなるという、第１実施形態と同様な利点も得られるのである。
【００２５】
この第２実施形態の基板３の両端部分に、左右対称形の側面板５、５を直角に形成し、例えば、断面Ｈ字形状に形成しておけば、第１実施形態の場合と同様に、前記基板３を上下に間隔を設けて段積することができるので好ましい。このように段積みすることによって、成形後の対象隅瓦を乾燥炉で乾燥する工程および焼成炉内で焼成する工程、あるいは運搬工程などにおいて、多数の対象隅瓦を同時に加工、処理できるなどの利点が得られるのも同様である。
【００２６】
また、図６（Ｂ）に示すように、前記基板面３１の反対側の基板面３２にも前記に同様な突起３３ａ、３３ａを複数個、配列した係止部を設けておけば、基板３を側面板５、５を含めて上下反転させて使用することが可能となり、第１実施形態の場合に同様な変形を矯正、修正できる利点が得られる。またさらに、左右対称形の側面板５、５を上下にも対称形（断面Ｈ字形状）に形成しておけば、任意の保持具だけを上下反転させ入れ替えても、段積み形態が変わらないので、焼成変形の大きな基板だけを上下反転させて矯正、修正できるという利点も得られる。
【００２７】
また、支承板４を構成する一対の板材４１の頭部４２は、軸心を有する蝶番状の組合せ構造である必要はなく、一対の板材４１の頭部４２に、相互に組合せ可能な切り欠き凹凸部４２ａを形成しておき、それぞれの凹凸部４２ａを組み合せて、頭部４２を支点としてお互いにもたれかけさせて、脚部４３、４３を開いて山形に開脚可能な構成とすればよい。
【００２８】
また、図５、６の事例に示すように、前記板材４１の凸面４１ａには表裏に貫通した貫通開口４５ａを設けておけば（図６（Ａ）では、貫通開口の部分を斜線で示している）、載置する袖瓦１の裏面にも加熱雰囲気が回るので、乾燥時および焼成時の温度むらを低減するのに大いに寄与することとなる。また、凸面４１ａ以外の部分にも必要に応じて、同様な貫通開口４５ｂを設けるのも同様な理由で好ましい。この貫通開口形状は、四角、円、楕円、スリット形状など適宜に定めればよい。
【図面の簡単な説明】
【００２９】
【図１】第１実施形態の瓦保持具の態様を説明するための要部斜視図。
【図２】同瓦保持具の段積み状態を示す正面図。
【図３】同瓦保持具の上面図。
【図４】見付け部を備えた隅瓦の要部斜視図。
【図５】第２実施形態の瓦保持具の構造を示す要部斜視図。
【図６】隅瓦を載置した同瓦保持具の上面図（Ａ）、断面図（Ｂ）。
【符号の説明】
【００３０】
１：隅瓦、１１：屈曲開き角度
２：瓦保持具
３：基板、３１：基板面、３１ａ：凹溝、３１ｂ：凸条
４：支承板、４１：板材、４２：頭部、４３：脚部、４４：開脚角度、
５：側面板
【図１】
2008298336.tif 000003
【図２】
2008298336.tif 000004
【図３】
2008298336.tif 000005
【図４】
2008298336.tif 000006
【図５】
2008298336.tif 000007
【図６】
2008298336.tif 000008